(57)【要約】【課題】  本発明は幼稚園などの子供用施設において、最長から最短まで、つまりＪＩＳで定められた上限から下限までの高低調節を１種類で可能にするテーブル脚を提供し、全年齢層が使用でき、しかも年長児や大人にとっては下限若しくは下限近くで高さを調節することにより座卓としても使用できるようにすることを課題にする。【解決手段】  天板１の裏面から下向きに延びる上脚２と、接地側から上向きに延びる下脚３と、複数の高低調節孔４、４、４・・・を段階状に設けた中間脚５とを有する。また上脚２の下端近傍および下脚３の上端近傍に所望の前記高低調節孔４、４、４・・・に対応する透孔２０、３０を穿つ。さらに脚全体の最短縮時に中間脚５を上脚２と下脚３とでサンドイッチ構造にして接地側と天板側との間隔を上下脚２、３の突出距離Ｌ１と等長にすることを特徴とする。【選択図】        図１
2006345889.tif 000002
【特許請求の範囲】
【請求項１】
天板の裏面から下向きに延びる上脚と、接地側から上向きに延びる下脚と、複数の高低調節孔を段階状に設けた中間脚とを有し、また前記上脚の下端近傍および前記下脚の上端近傍に所望の前記高低調節孔に対応する透孔を穿ち、さらに脚全体の最短縮時に前記中間脚を前記上脚と前記下脚とでサンドイッチ構造にして前記接地側と前記天板側との間隔を前記上下脚の突出距離と等長にすることを特徴とするテーブル脚。
【請求項２】
上脚と下脚とが各々対向するチャンネル状で、しかも中間脚が細長板であり、また前記上脚と下脚とが前記中間脚とを被嵌することを特徴とする請求項１のテーブル脚。
【請求項３】
下脚が接地ビームから突設され、上脚が天板裏面に取付けるビームから突設され、しかも前記接地ビームおよび前記ビームの少なくとも一方に細長板からなる中間脚の端部が嵌入する孔が設けられたことを特徴とする請求項１または２のテーブル脚。
【請求項４】
各高低調節孔が細長板からなる中間脚の内・外から対向して２列に埋設された鬼目ナットであり、しかも上脚と下脚との透孔が斜め方向に各１対づつ穿設されたことを特徴とする請求項１のテーブル脚。
【請求項５】
チャンネル状の上脚と下脚とが各々薄板状の取付片から金属板若しくはプラスチック板により突設され、前記上下の取付片の少なくとも一方に中間脚の端部を嵌入する孔との対応孔が穿設されたことを特徴とする請求項１または３のテーブル脚。
【発明の詳細な説明】
【技術分野】
【０００１】
本発明は幼稚園、保育所等の子供用施設で使用されるテーブルにおける伸縮自在な脚に関する。
【背景技術】
【０００２】
昨今の幼稚園、保育所では低年齢層の受け入れにより、具体的には裾野が２才児にまで広がっていることにより、対応するテーブル（座卓も含む）の種類も大小様様であり、施設側にとって費用は勿論、保管管理の労が大きくなっている。
【０００３】
事実上、２才児から６才児用としては床上２５ｃｍ〜５２ｃｍ（ＪＩＳで高低間距離は３ｃｍに定められている）の９段階に分かれている。このため従来から図７で示すように１対の下脚ａ、ａ間に複数の高低調節孔ｂ、ｂ、ｂ・・・を穿った脚ｃを入れ、ねじ締めして高低調節をしている。
【０００４】
なお、脚ｃを９段階調節可能な１枚板で形成すると短縮したときに前記最短縮状態である２５ｃｍをかなり越えてしまう。ここに前記従来例の場合、最短縮状態に適合させるように形成すると図９の（Ｃ）で示すように距離Ｌ３間での高低調節が可能となるだけで、最長距離には遥かに及ばない。
【０００５】
そこで、最長距離にするため図８で示す３段脚式のものが考えられるが、これによると、最長距離にすることは可能であるが、仮想線で示すように天板ｄを下げた場合、上脚ｅと下脚ａとが衝突してこれ以上、短縮することができず、図９の（Ｂ）で示すように上方部の距離Ｌ２間での高低調節しかできない。
【発明の開示】
【発明が解決しようとする課題】
【０００６】
本発明は、第１に前記従来例および想定例の欠点を解消し、幼稚園などの子供用施設において、最長から最短まで、つまりＪＩＳで定められた上限から下限までの高低調節を１種類で可能（図９（Ａ）の距離Ｌ１）にするテーブル脚を提供し、全年齢層が使用でき、しかも年長児や大人にとっては下限若しくは下限近くで高さを調節することにより座卓としても使用できるようにすることを課題にする。
【０００７】
本発明は、第２に中間脚として細長板を用いているにもかかわらず、最短距離時に上下脚が衝突することなく、中間脚をサンドイッチ状にして最下限まで天板を下げることを課題にする。
【０００８】
本発明は、第３に堅牢で、しかも最短距離時に安定性を良好にすることを課題にする。
【０００９】
本発明は、第４に細長板からなる中間脚の強度を大きくし、しかも上下脚と中間脚とを確実に結合できるようにすることを課題にする。
【００１０】
本発明は、第５に容易に製造することができ、しかもより安定度を高めるようにすることを課題にする。
【課題を解決するための手段】
【００１１】
本発明は第１に、天板の裏面から下向きに延びる上脚と、接地側から上向きに延びる下脚と、複数の高低調節孔を段階状に設けた中間脚とを有し、また前記上脚の下端近傍および前記下脚の上端近傍に所望の前記高低調節孔に対応する透孔を穿ち、さらに脚全体の最短縮時に前記中間脚を前記上脚と前記下脚とでサンドイッチ構造にして前記接地側と前記天板側との間隔を前記上下脚の突出距離と等長にすることを特徴とするものである。
【００１２】
本発明は第２に、前記第１の発明において上脚と下脚とが各々対向するチャンネル状で、しかも中間脚が細長板であり、また前記上脚と下脚とが前記中間脚とを被嵌することを特徴とするものである。
【００１３】
本発明は第３に、前記第１または２の発明において下脚が接地ビームから突設され、上脚が天板裏面に取付けるビームから突設され、しかも前記接地ビームおよび前記ビームの少なくとも一方に細長板からなる中間脚の端部が嵌入する孔が設けられたことを特徴とするものである。
【００１４】
本発明は第４に、前記第１の発明において各高低調節孔が細長板からなる中間脚の内・外から対向して２列に埋設された鬼目ナットであり、しかも上脚と下脚との透孔が斜め方向に各１対づつ穿設されたことを特徴とするものである。
【００１５】
本発明は第５に、前記第１または３の発明においてチャンネル状の上脚と下脚とが各々薄板状の取付片から金属板若しくはプラスチック板により突設され、前記上下の取付片の少なくとも一方に中間脚の端部を嵌入する孔との対応孔が穿設されたことを特徴とするものである。
【発明の効果】
【００１６】
本発明は第１に、最長から最短まで、つまりＪＩＳで定められた上限から下限までの高低調節を１種類で可能（図９（Ａ）の距離Ｌ１）にするテーブル脚を提供し、全年齢層が使用でき、しかも年長児や大人にとっては下限若しくは下限近くで高さを調節することにより座卓としても使用することができる。
【００１７】
本発明は、第２に中間脚として細長板を用いているにもかかわらず、最短距離時に上下脚が衝突することなく、中間脚をサンドイッチ状にして最下限まで天板を下げることができる。
【００１８】
本発明は、第３に堅牢で、しかも最短距離時に安定性を良好にすることができる。
【００１９】
本発明は、第４に細長板からなる中間脚の強度を大きくし、しかも上下脚と中間脚とを確実に結合することができる。
【００２０】
本発明は、第５に容易に製造することができ、しかもより安定度を高めるようにすることができる。
【発明を実施するための最良の形態】
【００２１】
本実施の形態は折りたたみ脚の例を示しているが、固定脚でもよいことは勿論である。
【００２２】
木製、具体的にはタモのムク（中実）材により中間脚５、接地ビーム６、ビーム７を形成し、上脚２、下脚３、取付片８、９を金属若しくは強化プラスチックで形成する。
【００２３】
図４で示すように取付片８、９を各々長小判形に形成するとともに、取付片８の両側縁を上向きに取付片９の両側縁を下向きに折り曲げて差込片８１、９１を形成し、各取付片８、９の表面にチャンネル材からなる上脚２、下脚３を垂直に突設する。前記突設するための固定手段は金属製であれば溶接、強化プラスチック製であれば一体成形による。各取付片８、９の左右にそれぞれ皿ビスを挿通する孔８２、８２、８２、９２、９２、９２を穿設し、上脚２、下脚３の端部２ａ、３ａに透孔２０、２０、３０、３０を斜めに穿ち、上脚２の根本部に傾斜小突部８４を形成するとともに下脚３の先端に傾斜切欠部９５を形成する。
【００２４】
接地ビーム６、ビーム７に各々取付片８、９および差込片８１、９１の落し込み溝６１、７１を彫込み、さらにビーム７の中央に中間脚５の端部５０を嵌入する溝７０を穿設する。なお、この溝７０はビーム７のみならず、接地ビーム６に設けてもよく、つまり少なくとも一方に設ければよく、溝７０への対応溝８０を取付片８、９の少なくとも一方に切欠く。
【００２５】
そして落し込み溝６１、７１に差込片８１、９１、取付片８、９を嵌挿し、各孔８２、９２から皿ビス止めして接地ビーム６、ビーム７に取付片８、９を固定する。なお接地ビーム６の裏面両端を削成し、これに高低微調整用のボタン付き螺子６０、６０を螺動自在に取付けてもよい。
【００２６】
中間脚５を細長板で形成し、表裏面から２列ずつ３ｃｍ間隔で鬼目ナット４０、４０、４０・・・を複数個、段階的に埋設して高低調節孔４を設ける。
【００２７】
本発明のテーブル脚が固定脚である場合にはビーム７を天板１の裏面に接着若しくは図１の破線で示すように木ねじ１０´で固定する。
【００２８】
本実施の形態ではこのテーブル脚を折りたたみ脚とするので、ビーム７を天板１の裏面に蝶番１０、１０止めにより回動自在に取付ける。
【００２９】
折りたたみ手段としてはかつて本願出願人が実用新案登録した周知の手段である実公昭６１−３２５０７号実用新案公報に記載のものと均等の手段を示しており、本発明とは直接的な関係がないので、詳細な説明を省略し、基本構成のみを説明すれば、上脚２の内向面に軸受２１を取付け、この軸受２１に回動軸２２を挿通し、回動軸２２の両端にコ字状支杆１１を軸着し、図２で示すようにロック装置１２内にコ字状支杆１１の頂部１３を摺動自在に置き、この頂部１３を摺動するとともに両端の係止手段１４、１５に係止することによりテーブル脚を起倒するものである。
【００３０】
図１・２・６で示すように上・下脚２、３に中間脚５を嵌入し、各ビス４０´、４０´を所望の高さの鬼目ナット４０、４０に斜めに螺着する。このようにすれば結合力および強度が高まり、安定する。なお各高低調節孔４は貫通孔にし、ボルト・ナット締めするようにしてもよい。
【００３１】
図１・２の実線で示す状態は高低調節孔４を最長にして上限を示し、同図の仮想線で本発明のテーブル脚の高低調節孔４、ビス４０´を介して中途の長さにし、また図３の実線で最短距離にした状態を示すものである。なお同図の１点鎖線は本テーブル脚を折りたたんだ状態を示すものである。図５で示すように中間脚５の端部５０が対応孔８０を経て孔７０に嵌入し、また傾斜小突部８４と傾斜切欠部９５とが係止し、安定性がより向上する。
【００３２】
また本発明では上・下脚２、３を中間脚５を挟んで反対側に位置するように形成してあるから、上・下脚２、３の対向端部同士が衝突することがなく中間脚５をサンドイッチして対向する上下端２、３の高さすなわち最短縮距離にすることができる。
【００３３】
これを図９の模式図で説明すれば、従来例がＬ３の移動距離および上下位置、想定例がＬ２の移動距離および上下位置であったのを、本発明は同図の（Ａ）で示すようにＬ１の移動距離および上下位置になり、本発明の脚を有するテーブルは一種類で２才児から６才児までの子供に対応することができるとともに座卓としての使用も可能となり、費用、保管場所、保管の手間を大幅に節約することができるものである。
【図面の簡単な説明】
【００３４】
【図１】本発明のテーブル脚が延びている状態を内側から見た斜視図である。
【図２】同状態の外側から見た斜視図である。
【図３】同上のテーブル脚が最短縮した状態を示す斜視図である。
【図４】本発明の分解斜視図である。
【図５】Ａ−Ａ拡大断面図である。
【図６】一部の部材を省略したＢ−Ｂ拡大断面図である。
【図７】従来例の斜視図である。
【図８】従来例の部分脚を３段に想定した場合の斜視図である。
【図９】従来例、想定例および本発明とを比較した模式図である。
【符号の説明】
【００３５】
１  天板
２  上脚
３  下脚
４  高低調節孔
５  中間脚
６  接地ビーム
７  ビーム
８  取付片
９  取付片
２０  透孔
３０  透孔
４０  鬼目ナット
５０  端部
７０  孔
８０  対応孔
Ｌ１  突出距離
【図１】
2006345889.tif 000003
【図２】
2006345889.tif 000004
【図３】
2006345889.tif 000005
【図４】
2006345889.tif 000006
【図５】
2006345889.tif 000007
【図６】
2006345889.tif 000008
【図７】
2006345889.tif 000009
【図８】
2006345889.tif 000010
【図９】
2006345889.tif 000011